(57)【要約】【課題】この発明は、液晶プロジェクタ本体が表示可能な画像サイズに比べてサイズが大きい画像データや、液晶プロジェクタ側が対応していないアスペクト比の画像を、その画像全体が表示されるように表示することが可能となる液晶プロジェクタを提供することを目的とする。【解決手段】静止画像データが格納されているメモリから、静止画像データを取得して表示する液晶プロジェクタにおいて、メモリから取得した静止画像データのアスペクト比および画像サイズを、液晶プロジェクタが表示可能なアスペクト比および画像サイズに変換するアスペクト比および画像サイズ変換手段を備えている。【選択図】  図１
2004241874.tif 000002
【特許請求の範囲】
【請求項１】
静止画像データが格納されているメモリから、静止画像データを取得して表示する液晶プロジェクタにおいて、
メモリから取得した静止画像データのアスペクト比および画像サイズを、液晶プロジェクタが表示可能なアスペクト比および画像サイズに変換するアスペクト比および画像サイズ変換手段を備えていることを特徴とする液晶プロジェクタ。
【請求項２】
アスペクト比および画像サイズ変換手段は、
メモリから取得した静止画像データのアスペクト比が液晶プロジェクタに対応したアスペクト比と一致していない場合に、静止画像データのアスペクト比が液晶プロジェクタに対応したアスペクト比と一致するように、静止画像データの上下両側または左右両側に所定色の画像データを付加するアスペクト比変換手段、
アスペクト比変換手段によってアスペクト比が変換された静止画像データが、液晶プロジェクタが表示可能な最大サイズより大きい場合には、アスペクト比変換手段によってアスペクト比が変換された静止画像データの画像サイズが液晶プロジェクタが表示可能な最大サイズと同じサイズとなるように、アスペクト比変換手段によってアスペクト比が変換された静止画像データの画像サイズを変換する第１の画像サイズ変換手段、ならびに
メモリから取得した静止画像データのアスペクト比が液晶プロジェクタに対応したアスペクト比と一致しており、かつメモリから取得した静止画像データが表示可能な最大サイズより大きい場合には、メモリから取得した静止画像データの画像サイズが液晶プロジェクタが表示可能な最大サイズと同じサイズとなるように、メモリから取得した静止画像データの画像サイズを変換する第２の画像サイズ変換手段、
を備えていることを特徴とする請求項１に記載の液晶プロジェクタ。
【発明の詳細な説明】
【０００１】
【発明の属する技術分野】
この発明は、液晶プロジェクタに関する。
【０００２】
【従来の技術】
液晶プロジェクタとＰＣ（パーソナルコンピュータ）とを接続して、ＰＣ内に保持されている画像ファイルを液晶プロジェクタによってスクリーン上に投影させることができる。また、デジタルカメラで撮影した静止画像データをメモリカードに記憶させておき、メモリカードから液晶プロジェクタに画像データを転送することにより、液晶プロジェクタによってスクリーン上に投影させることもできる。
【０００３】
デジタルカメラで撮影した静止画像ファイルをはじめ、近年、非常に大きな画素数でサイズの大きい静止画像ファイルが利用されるようになってきている。液晶プロジェクタで画像を表示する場合、液晶プロジェクタ本体が表示可能な画像サイズやアスペクト比には制限があるため、サイズの大きい画像や液晶プロジェクタ側が対応していないアスペクト比の画像を表示しようとすると、画像の一部が表示範囲外となってしまい、画像全体を表示できなくなる場合がある。
【０００４】
現状では、このような画像を表示するためには、ＰＣを用いて画像ファイルを加工するなど、液晶プロジェクタが表示可能なファイルにユーザが事前に変換しなければならない。
【０００５】
【発明が解決しようとする課題】
この発明は、液晶プロジェクタ本体が表示可能な画像サイズに比べてサイズが大きい画像データや、液晶プロジェクタ側が対応していないアスペクト比の画像を、その画像全体が表示されるように表示することが可能となる液晶プロジェクタを提供することを目的とする。
【０００６】
【課題を解決するための手段】
請求項１に記載の発明は、静止画像データが格納されているメモリから、静止画像データを取得して表示する液晶プロジェクタにおいて、メモリから取得した静止画像データのアスペクト比および画像サイズを、液晶プロジェクタが表示可能なアスペクト比および画像サイズに変換するアスペクト比および画像サイズ変換手段を備えていることを特徴とする。
【０００７】
請求項２に記載の発明は、請求項１に記載の液晶プロジェクタにおいて、アスペクト比および画像サイズ変換手段は、メモリから取得した静止画像データのアスペクト比が液晶プロジェクタに対応したアスペクト比と一致していない場合に、静止画像データのアスペクト比が液晶プロジェクタに対応したアスペクト比と一致するように、静止画像データの上下両側または左右両側に所定色の画像データを付加するアスペクト比変換手段、アスペクト比変換手段によってアスペクト比が変換された静止画像データが、液晶プロジェクタが表示可能な最大サイズより大きい場合には、アスペクト比変換手段によってアスペクト比が変換された静止画像データの画像サイズが液晶プロジェクタが表示可能な最大サイズと同じサイズとなるように、アスペクト比変換手段によってアスペクト比が変換された静止画像データの画像サイズを変換する第１の画像サイズ変換手段、ならびにメモリから取得した静止画像データのアスペクト比が液晶プロジェクタに対応したアスペクト比と一致しており、かつメモリから取得した静止画像データが表示可能な最大サイズより大きい場合には、メモリから取得した静止画像データの画像サイズが液晶プロジェクタが表示可能な最大サイズと同じサイズとなるように、メモリから取得した静止画像データの画像サイズを変換する第２の画像サイズ変換手段を備えていることを特徴とする。
【０００８】
【発明の実施の形態】
以下、図面を参照して、この発明の実施の形態について説明する。
【０００９】
図１は、液晶プロジェクタの構成を示している。
【００１０】
この液晶プロジェクタ１は、従来の液晶プロジェクタと同様の構成を備えた液晶プロジェクタ本体１０と、画像サイズおよびアスペクト比変換部２０とを備えている。画像サイズおよびアスペクト比変換部２０は、例えば、オプションボードとして、液晶プロジェクタ本体１０に装着されている。
【００１１】
画像サイズおよびアスペクト比変換部２０は、データ処理部２１、一時記憶部２２、アスペクト比判定部２３および画像サイズ判定部２４を備えている。
【００１２】
画像サイズおよびアスペクト比変換部２０は、デジタルカメラ３０のメモリカード３１等のメモリに格納されている静止画像のアスペクト比および画像サイズを、液晶プロジェクタが表示できる画像のアスペクト比および画像サイズに変換する機能を備えている。
【００１３】
ここでは、デジタルカメラ３０を液晶プロジェクタ１に接続して、デジタルカメラ３０によって撮影された静止画像を、液晶プロジェクタ１で表示する場合を例にとって説明する。
【００１４】
デジタルカメラ３０内のメモリカード３１には、デジタルカメラ３０で撮影した静止画像データが格納されている。静止画像データは、ＪＰＥＧ形式の画像データであるものとする。デジタルカメラ３０は、専用ケーブルによって、画像サイズおよびアスペクト比変換部２０のデータ処理部２１に接続されている。
【００１５】
図２は、液晶プロジェクタ１に設けられた画像サイズおよびアスペクト比変換部２０の処理手順を示している。
【００１６】
データ処理部２１は、デジタルカメラ３０内のメモリカード３１から、表示したいＪＰＥＧ形式の静止画像データを取得して、ＪＰＥＧデコードする（ステップ１０１）。デコードされた静止画像を表示対象画像ということにする。
【００１７】
データ処理部２１は、取得したＪＰＥＧ形式の静止画像データのＪＰＥＧヘッダから画像の縦横サイズを取得し、表示対象画像のアスペクト比と画像サイズを取得する（ステップ１０２）。
【００１８】
また、データ処理部２１は、液晶プロジェクタ本体１０から、液晶プロジェクタ本体１０が表示できる画像のアスペクト比（プロジェクタ対応のアスペクト比）と、最大画像サイズ（プロジェクタ対応の最大画像サイズ）とを取得する（ステップ１０３）。
【００１９】
データ処理部２１は、上記ステップ１０２で取得した表示対象画像のアスペクト比とステップ１０２で取得したプロジェクタ対応のアスペクト比とを、アスペクト比判定部２３に送る（ステップ１０４）。アスペクト比判定部２３は、表示対象画像のアスペクト比とプロジェクタ対応のアスペクト比とが一致するか否かを判定し、その判定結果をデータ処理部２１に通知する（ステップ１０５）。
【００２０】
アスペクト比判定部２３によってアスペクト比が一致すると判定された場合には（ステップ１０６でＹＥＳ）、データ処理部２１は、上記ステップ１０２で取得した表示対象画像の画像サイズと、上記ステップ１０３で取得したプロジェクタ対応の最大画像サイズとを画像サイズ判定部２４に送る（ステップ１０７）。
【００２１】
アスペクト比判定部２３によってアスペクト比が一致しないと判定された場合には（ステップ１０６でＮＯ）、データ処理部２１は、プロジェクタ対応のアスペクト比と一致するように、表示対象画像のアスペクト比を調整するための処理（アスペクト比変換処理）を行う（ステップ１０８）。この後、アスペクト比変換処理後の表示対象画像の画像サイズと、上記ステップ１０３で取得したプロジェクタ対応の最大画像サイズとを画像サイズ判定部２４に送る（ステップ１０９）。
【００２２】
画像サイズ判定部２４は、上記ステップ１０７または１０９において、データ処理部２１から送られてきた表示対象画像の画像サイズが、プロジェクタ対応の最大画像サイズ以下であるか否かを判定し、その判定結果をデータ処理部２１に通知する（ステップ１１０）。
【００２３】
具体的には、表示対象画像の画像サイズの縦サイズがプロジェクタ対応の最大画像サイズの縦サイズ以下でありかつ表示対象画像の画像サイズの横サイズがプロジェクタ対応の最大画像サイズの横サイズ以下の場合には、表示対象画像の画像サイズがプロジェクタ対応の最大画像サイズ以下であると判別する。表示対象画像の画像サイズの縦サイズがプロジェクタ対応の最大画像サイズの縦サイズより大きい場合または表示対象画像の画像サイズの横サイズがプロジェクタ対応の最大画像サイズの横サイズより大きい場合には、表示対象画像の画像サイズがプロジェクタ対応の最大画像サイズより大きいと判別する。
【００２４】
画像サイズ判定部２４によって、表示対象画像の画像サイズがプロジェクタ対応の最大画像サイズ以下であると判別された場合には（ステップ１１１でＹＥＳ）、データ処理部２１は、表示対象画像を液晶プロジェクタ本体１０に送る（ステップ１１３）。
【００２５】
ステップ１１１からステップ１１３に移行した場合に、液晶プロジェクタ本体１０に送られる表示対象画像データは、次の通りである。つまり、上記ステップ１０８によってアスペクト比変換処理が行われている場合には、上記ステップ１０１でデコードされかつアスペクト比変換処理が行われた後の画像データが液晶プロジェクタ本体１０に送られ、上記ステップ１０８によってアスペクト比変換処理が行われていない場合には、上記ステップ１０１でデコードされた画像データが液晶プロジェクタ本体１０に送られる。
【００２６】
画像サイズ判定部２４によって、表示対象画像の画像サイズがプロジェクタ対応の最大画像サイズより大きいと判別された場合には（ステップ１１１でＮＯ）、データ処理部２１は、液晶プロジェクタ本体１０によって表示対象画像を表示できるように表示対象画像の画像サイズを調整するための処理（画像サイズ変換処理）を行った後（ステップ１１２）、表示対象画像を液晶プロジェクタ本体１０に送る（ステップ１１３）。
【００２７】
ステップ１１２からステップ１１３に移行した場合に、液晶プロジェクタ本体１０に送られる表示対象画像データは、次の通りである。つまり、上記ステップ１０８によってアスペクト比変換処理が行われている場合には、上記ステップ１０１でデコードされかつアスペクト比変換処理および画像サイズ変換処理が行われた後の画像データが液晶プロジェクタ本体１０に送られ、上記ステップ１０８によってアスペクト比変換処理が行われていない場合には、上記ステップ１０１でデコードされかつ画像サイズ変換処理が行われた後の画像データが液晶プロジェクタ本体１０に送られる。
【００２８】
図３は、図２のステップ１０８のアスペクト比変換処理の詳細な手順を示している。
【００２９】
まず、図４に示すように、上記ステップ１０１でデコードされた表示対象画像の縦サイズをＶ１、横サイズをＨ１、アスペクト比をＶ１：Ｈ１とし、プロジェクタ対応の最大画像サイズの縦サイズをＶ２、横サイズをＨ２、アスペクト比をＶ２：Ｈ２とする（ステップ１２１）。
【００３０】
次に、Ａ１＝Ｖ１／Ｈ１、Ａ２＝Ｖ２／Ｈ２を算出する（ステップ１２２）。そして、Ａ１＜Ａ２であるか否かを判別する（ステップ１２３）。
【００３１】
Ａ１＜Ａ２であると判定した場合には（ステップ１２３でＹＥＳ）、つまり、Ｈ１に係数ａを乗算し、Ｈ２に係数ｂを乗算することによってＨ１およびＨ２の値がそれらの最小公倍数Ｘになると仮定すると、ａ・Ｖ１＜ｂ・Ｖ２となる場合には、Ｘ＝ａ・Ｈ１＝ｂ・Ｈ２となるようなａ、ｂを算出する（ステップ１２４）。つまり、ＸをＨ１およびＨ２の最小公倍数として、Ｘ＝ａ・Ｈ１＝ｂ・Ｈ２となるようなａ、ｂを算出する。
【００３２】
次に、ｂＶ２＝ａＶ１＋ＹとなるようなＹの値を算出する（ステップ１２５）。次に、Ｚ＝Ｙ・（１／ａ）・（１／２）となるようなＺを算出する（ステップ１２６）。
【００３３】
そして、図５に示すように、元の表示対象画像の上側および下側に、幅全体にわたって、高さＺだけ所定色、例えば黒を表す画像データを追加して、新たな表示対象画像を生成することにより、元の表示対象画像をアスペクト比がＶ２：Ｈ２の新たな表示対象画像に変換する（ステップ１２７）。そして、今回のアスペクト比変換処理を終了する。
【００３４】
上記ステップ１２３において、Ａ１＞Ａ２であると判定した場合には（ステップ１２３でＮＯ）、つまり、Ｖ１に係数ｃを乗算し、Ｖ２に係数ｄを乗算することによってＶ１およびＶ２の値がそれらの最小公倍数Ｘになると仮定すると、ｃ・Ｈ１＜ｄ・Ｈ２となる場合には、Ｘ＝ｃ・Ｖ１＝ｄ・Ｖ２となるようなｃ、ｄを算出する（ステップ１２８）。つまり、ＸをＶ１およびＶ２の最小公倍数として、Ｘ＝ｃ・Ｖ１＝ｃ・Ｖ２となるようなｃ、ｄを算出する。
【００３５】
次に、ｄＨ２＝ｃＨ１＋ＹとなるようなＹの値を算出する（ステップ１２９）。次に、Ｚ＝Ｙ・（１／ｃ）・（１／２）となるようなＺを算出する（ステップ１３０）。
【００３６】
そして、図６に示すように、元の表示対象画像の左側および右側に、高さ全体にわたって、幅Ｚだけ所定色、例えば黒を表す画像データを追加して、新たな表示対象画像を生成することにより、元の表示対象画像をアスペクト比がＶ２：Ｈ２の新たな表示対象画像に変換する（ステップ１３１）。そして、今回のアスペクト比変換処理を終了する。
【００３７】
図７は、図２のステップ１１２の画像サイズ変換処理の詳細な手順を示している。
【００３８】
図８に示すように、表示対象画像の縦サイズをＶ１、横サイズをＨ１とし、プロジェクタ対応の最大画像サイズの縦サイズをＶ２、横サイズをＨ２とする。
【００３９】
まず、ＸをＨ１およびＨ２の最小公倍数として、Ｘ＝ａ・Ｈ１＝ｂ・Ｈ２となるようなａ、ｂを算出する（ステップ１４１）。
【００４０】
表示対象画像を水平方向にａ倍に拡大する（ステップ１４２）。つまり、水平方向に同じ画素をａ個ずつ並べる。
【００４１】
次に、ステップ１４２で得られた画像を、水平方向に１／ｂ倍に縮小する（ステップ１４３）。つまり、水平方向に並んだｂ個分の画素列を、それらの平均値の画素値を持つ１つの画素に置き換える。
【００４２】
Ｈ１＝７０４であり、Ｈ２＝３２０である場合を例にとって説明する。Ｈ１とＨ２の最小公倍数Ｘは３５２０となり、ａ＝５、ｂ＝１１となる。まず、図９（ａ）に示すように、表示対象画像を水平方向に５倍する。この後、図９（ｂ）に示すように、得られた画像を水平方向に１／１１倍する。
【００４３】
水平方向と同様に、垂直方向についても同様な処理を行う。つまり、まず、ＹをＶ１およびＶ２の最小公倍数として、Ｙ＝ｃ・Ｖ１＝ｄ・Ｖ２となるようなｃ、ｄを算出する（ステップ１４４）。
【００４４】
水平方向の縮小処理後の表示対象画像を垂直方向にｃ倍に拡大する（ステップ１４５）。そして、得られた画像を、垂直方向に１／ｄ倍に縮小する（ステップ１４６）。これにより、表示対象画像の画像サイズが、プロジェクタ対応の最大画像サイズと同じサイズに変換される。
【００４５】
上記実施の形態では、デジタルカメラ３０と液晶プロジェクタ１とを接続しているが、液晶プロジェクタ１にメモリカード３１を装着するためのカードコネクタを設けておき、カードコネクタに装着されたメモリカード３１から表示対象画像を取得するようにしてもよい。
【００４６】
【発明の効果】
この発明によれば、液晶プロジェクタ本体が表示可能な画像サイズに比べてサイズが大きい画像データや、液晶プロジェクタ側が対応していないアスペクト比の画像を、その画像全体が表示されるように表示することが可能となる。
【図面の簡単な説明】
【図１】液晶プロジェクタの構成を示すブロック図である。
【図２】液晶プロジェクタ１に設けられた画像サイズおよびアスペクト比変換部２０の処理手順を示すフローチャートである。
【図３】図２のステップ１０８のアスペクト比変換処理の詳細な手順を示すフローチャートである。
【図４】図２のステップ１０１でデコードされた表示対象画像のサイズと、プロジェクタ対応の最大画像サイズを示す模式図である。
【図５】元の表示対象画像の上側および下側に、幅全体にわたって、高さＺだけ黒を表す画像データを追加することを示す模式図である。
【図６】元の表示対象画像の左側および右側に、高さ全体にわたって、幅Ｚだけ黒を表す画像データを追加することを示す模式図である。
【図７】図２のステップ１１２の画像サイズ変換処理の詳細な手順を示すフローチャートである。
【図８】表示対象画像のサイズと、プロジェクタ対応の最大画像サイズを示す模式図である。
【図９】水平方向のサイズを、７０４画素から３２０画素に変換する場合を示す模式図である。
【符号の説明】
１  液晶プロジェクタ
１０  液晶プロジェクタ本体
２０  画像サイズおよびアスペクト比変換部
２１  データ処理部
２２  一時記憶部
２３  アスペクト比判定部
２４  画像サイズ判定部
３０  デジタルカメラ
３１  メモリカード
【図１】
2004241874.tif 000003
【図２】
2004241874.tif 000004
【図３】
2004241874.tif 000005
【図４】
2004241874.tif 000006
【図５】
2004241874.tif 000007
【図６】
2004241874.tif 000008
【図７】
2004241874.tif 000009
【図８】
2004241874.tif 000010
【図９】
2004241874.tif 000011